(57)【要約】【課題】  携帯電話機を卓上ホルダーに載置した状態で、オーディオビジュアル機器などの周辺機器とデータ通信を行う必要性も高まっている。【解決手段】  そこで、携帯電話機ホルダーに、外部周辺機器６とＵＳＢ（Universal Serial Bus）方式を用いて接続されるＵＳＢ端子４と、外部電源５から電源が供給される電源端子３と、この電源端子３から供給された電力を携帯通信機１に充電する処理を制御する充電制御処理部と、ＵＳＢ端子４を介して接続された外部周辺機器６と携帯通信機１のデータ通信を制御するＵＳＢ制御処理部を設けた。【選択図】  図１
2006303859.tif 000002
【特許請求の範囲】
【請求項１】
外部周辺機器とＵＳＢ（Universal Serial Bus）方式を用いて接続されるＵＳＢ端子と、
外部電源から電源が供給される電源端子と、
この電源端子から供給された電力を携帯通信機に充電する処理を制御する充電制御処理部と、
前記ＵＳＢ端子を介して接続された外部周辺機器と前記携帯通信機間のデータ通信を制御するＵＳＢ制御処理部とを設けたことを特徴とする卓上ホルダー。
【請求項２】
ＵＳＢ制御処理部は、ＵＳＢ端子が外部周辺機器と接続されたか検知する機能を有し、外部周辺機器と接続されたことを検知した場合には、携帯通信機と外部周辺機器のデータ処理を同期させることを特徴とする請求項１に記載の卓上ホルダー。
【発明の詳細な説明】
【技術分野】
【０００１】
本発明は、携帯電話機を充電する際に載置する卓上ホルダーに関する。
【背景技術】
【０００２】
近年、携帯電話機が普及するのに伴い、携帯電話機を充電する際に、携帯電話機を保持する卓上ホルダーについても改善がなされている。たとえば、特許文献１に記載の卓上ホルダーは、携帯電話機を卓上に設置して使用する場合に、良好な電波状態で通信、通話、待ち受けを行うことができるように、アンテナを備える。携帯電話機は特許文献１に記載の卓上ホルダーに載置されている時には、卓上ホルダーのアンテナを介して通信を行う。
【０００３】
また、特許文献２に記載の卓上ホルダーは、着信音を大音量で鳴らしたり、携帯電話機に内蔵された音楽ファイルを長時間再生するために、オーディオ入力端子とアンプ、及びスピーカを備える。携帯電話機は特許文献２に記載の卓上ホルダーに載置されている時には、携帯電話機のオーディオ出力端子と卓上ホルダーのオーディオ入力端子が接続され、携帯電話機の着信音、音楽ファイルは、卓上ホルダーのスピーカから出力される。
【０００４】
【特許文献１】特開２００３−２８９３６１号公報
【特許文献２】特開２００３−１０１６１８号公報
【発明の開示】
【発明が解決しようとする課題】
【０００５】
ところで、携帯電話機を卓上ホルダーに載置した状態で、オーディオビジュアル機器などの周辺機器とデータ通信を行う必要性も高まっている。このような場合、ＵＳＢ（Universal Serial Bus）規格に定められた方式で、機器間でデータ通信を行うことが一般的である。ＵＳＢの規格では、ＵＳＢ接続を制御するホストと制御される側（外部機器）がある。一般的な使用方法としては、パソコンにホスト機能を持つＵＳＢコントローラＩＣを搭載し、このＵＳＢホストコントローラにより外部機器を制御する。
【０００６】
しかしながら、従来の構成では、外部機器とのＵＳＢ接続を行うには、ホスト機能を有するパソコンを介する必要があった。このため、携帯電話機と外部機器との接続にパソコンが必須であり、携帯電話機と外部機器のデータ通信や、携帯電話機の画像表示機能、音楽再生機能を十分に生かすことができなかった。
【課題を解決するための手段】
【０００７】
本発明に係る卓上ホルダーは、外部周辺機器とＵＳＢ（Universal Serial Bus）方式を用いて接続されるＵＳＢ端子と、外部電源から電源が供給される電源端子と、この電源端子から供給された電力を携帯通信機に充電する処理を制御する充電制御処理部と、ＵＳＢ端子を介して接続された外部周辺機器と携帯通信機間のデータ通信を制御するＵＳＢ制御処理部とを設けたものである。
【発明の効果】
【０００８】
本発明に係る卓上ホルダーは、外部周辺機器とＵＳＢ（Universal Serial Bus）方式を用いて接続されるＵＳＢ端子と、外部電源から電源が供給される電源端子と、この電源端子から供給された電力を携帯通信機に充電する処理を制御する充電制御処理部と、ＵＳＢ端子を介して接続された外部周辺機器と携帯通信機間のデータ通信を制御するＵＳＢ制御処理部とを設けたので、パソコンを使用しなくても外部周辺機器とのＵＳＢ接続することができる。
【発明を実施するための最良の形態】
【０００９】
実施の形態１．
図１は、本発明に係る卓上ホルダーを用いた周辺機器の接続例を説明する説明図である。図１において、図１において、携帯電話機１は、卓上ホルダー２に載置されている。卓上ホルダー２は、ＡＣ電源端子３とＵＳＢ端子４が設けられている。卓上ホルダー２のＡＣ電源端子３は、外部ＡＣ電源５に接続されており、図示しない充電端子を介して携帯電話機１に電源が供給される。また、卓上ホルダー２のＵＳＢ端子４は、外部周辺機器６にＵＳＢケーブルを用いて接続されている。卓上ホルダー２は、携帯電話機１が載置されたか否かを検知する機能、およびＵＳＢ端子４が接続されたか否かを検知する機能を有する。なお、外部周辺機器６は、ＣＤＲＯＭやＤＶＤＲＯＭ、ＳＤカード、ＵＳＢディスクドライブなどのデータ記憶メディアを適用できる。ＣＤＲＯＭやＤＶＤＲＯＭを用いることで音声、映像データを携帯電話で利用できるほか、ＳＤカードやＵＳＢディスクドライブを用いることで、データ自動バックアップも可能になる。また、外部周辺機器６として、カメラ、マイク、大型ＬＣＤなど携帯電話機の機能を拡張する外部インターフェースも考えられる。
【００１０】
図２は、本発明に係る卓上ホルダーの構成を示すブロック図である。図２において、卓上ホルダー２は、ホストコントロール機能を有するＵＳＢ制御回路部７、充電機能を実現する充電回路部８が設けられている。ＵＳＢ制御回路部７は、図１を用いて説明したＵＳＢ端子４のほか、ホストコントローラ機能を実行するＵＳＢ制御部９と、携帯電話機側のＵＳＢ端子と接続されるＵＳＢ端子１０が実装されている。また、充電回路部８は、図１を参照して説明した電源端子３のほか、携帯電話機への充電を制御する充電回路１１と、携帯電話機側の充電端子と接続される充電端子１２が実装されている。上記説明のように、本願発明に係る卓上ホルダーは、ホストコントローラ機能を実行するＵＳＢ制御部９を備えている。
【００１１】
図３は、一般的な卓上ホルダーを用いた周辺機器の接続例を説明する説明図であり、図１に示す本発明に係る卓上ホルダーとの比較例として示すものである。図３において、卓上ホルダー１３のＵＳＢ端子４は、ホストコントローラ機能を実行するパソコン１４を介して外部周辺機器６と接続されている。なお、図３において、図１と同一の符号は同一または相当部分を示すので説明は省略する。図３に示す構成では、外部周辺機器６とのＵＳＢ接続に、ホストコントローラ機能を実行するパソコンが必要である。
【００１２】
上記説明のように、本願発明に係る卓上ホルダーは、ホストコントローラ機能を実行するＵＳＢ制御部９を備えたので、ＰＣと接続することなく、外部周辺機器を利用可能である。また、ＡＣアダプタが接続されていることにより、携帯電話機の電池容量を気にすることなく、長時間利用することができる。また、携帯電話機の卓上ホルダーへの載置、または外部周辺機器の接続をトリガとすることができ、外部周辺機器とのデータの同期、映像メディア（CDROM,DVD）などを再生することにより、携帯電話機または卓上ホルダーに接続された映像機器、音声機器でコンテンツを視聴することができる。
【図面の簡単な説明】
【００１３】
【図１】本発明の卓上ホルダーを用いた周辺機器の接続例を説明する説明図である。
【図２】本発明に係る卓上ホルダーの構成を示すブロック図である。
【図３】一般的な卓上ホルダーを用いた周辺機器の接続例を説明する説明図である。
【符号の説明】
【００１４】
１  携帯電話機、２  卓上ホルダー、３  ＡＣ電源端子、４  ＵＳＢ端子、
５  外部ＡＣ電源、６  外部周辺機器、７  ＵＳＢ制御回路部、８  充電回路部、
９  ＵＳＢ制御部、１０  ＵＳＢ端子、１１  充電回路、１２  充電端子、
１３  卓上ホルダー、１４  パソコン
【図１】
2006303859.tif 000003
【図２】
2006303859.tif 000004
【図３】
2006303859.tif 000005